(57)【特許請求の範囲】
【請求項１】
受信装置でのデータ変換時に発生する変換誤差を予測し、前記受信装置で前記変換誤差の補正を行なうために必要な情報を予め生成する誤差補正情報生成装置であって、
入力されたデータにデータ変換を行ない、正しい変換結果の基準となる基準データを生成する第一のデータ変換手段と、
前記入力されたデータに受信装置と同じデータ変換を行ない、前記受信装置での変換結果と同じ変換結果である変換データを生成する第二のデータ変換手段と、
前記基準データと、前記変換データとを比較して、前記入力されたデータが前記受信装置でデータ変換されるときに発生する変換誤差を補正するための誤差補正情報を生成するデータ比較手段と、
を備えたことを特徴とする誤差補正情報生成装置。
【請求項２】
受信装置でのデータ変換時に発生する変換誤差を予測し、前記受信装置で前記変換誤差の補正を行なうために必要な情報を予め生成して、データと共に送信する送信装置であって、
入力された前記データにデータ変換を行ない、正しい変換結果の基準となる基準データを生成する第一のデータ変換手段と、
前記入力されたデータを受信装置と同じデータ変換を行ない、前記受信装置と同じ変換結果となる変換データを生成する第二のデータ変換手段と、前記基準データと、前記変換データとを比較して、前記入力されたデータが前記受信装置でデータ変換されるときに発生する変換誤差を補正するための誤差補正情報を生成するデータ比較手段と、
前記入力されたデータと前記誤差補正情報とを送信する送信手段と、
を備えたことを特徴とする送信装置。
【請求項３】
請求項２に記載の送信装置から放送波または通信回線を介して送信される前記データと前記誤差補正情報とを受信する受信装置であって、前記データと前記誤差補正情報とを受信する受信手段と、前記受信手段で受信された前記データと前記誤差補正情報とを分離する分離手段と、前記分離手段で分離された前記データをデータ変換して、変換データを生成するデータ変換手段と、前記変換データと、前記分離手段で分離されたデータ変換時に生じる変換誤差を補正するための前記誤差補正情報とに基づいて、前記変換データの変換誤差を補正する誤差補正手段と、を備えたことを特徴とする受信装置。
【請求項４】
前記誤差補正手段は、前記データ変換手段が生成した変換データに前記誤差補正情報に対応する変換誤差が生じているときは、前記データ変換手段に通知し、再度、前記データ変換手段がデータ変換を行なうことを特徴とする請求項３に記載の受信装置。
【請求項５】
少なくとも前記データ変換手段と前記誤差補正手段とは、更新することができることを特徴とする請求項３または請求項４に記載の受信装置。
【発明の詳細な説明】
【０００１】
【発明の属する技術分野】
本発明は、データ伝送方法の技術に関し、より詳細にはデータの送信側が、受信側がデータを変換するときに予測される誤差補正情報を送信することで、受信側が送信側の期待するデータ変換を行なう技術に関するものであり、誤差補正を行なうために必要な誤差補正情報を生成する誤差補正情報生成装置及び誤差補正情報を生成し送信する送信装置並びに誤差補正情報を用いて誤差を補正する受信装置に関する。
【０００２】
【従来の技術】
放送のデジタル化に伴い、多様なデジタル情報のサービスが提供されてきており、受信装置では、常に新しいサービスを享受できるように、受信装置の機能を最新のものにする必要があった。そこで従来は、デジタル放送においてソフトウェアを放送の電波を使ってダウンロードする技術が実現され、このダウンロード技術により、受信装置内に実装された機能を更新し、新しいサービスに対応することができるようになっている。
【０００３】
【発明が解決しようとする課題】
しかし、前記従来のダウンロードによる受信装置内に実装された機能の更新では、受信装置側で前記機能の一つとして複雑なデータ変換を行なう場合、例えば、日本語データを受信して英語データに変換する翻訳処理や、音声信号データを受信して文字コード情報に変換する音声認識処理や、画像信号データを受信してその中に含まれる画像を音声データに変換する画像認識処理といった複雑な変換を必要とする場合、正しい変換結果を得る機能を実現するソフトウェア量は膨大なものになり、前記ソフトウェアを受信装置にダウンロードするには、ダウンロード時間が長くなるという問題がある。
【０００４】
また、受信装置は、前記膨大な量のソフトウェアをダウンロードするには、受信装置内に記憶容量が多く必要になるため、受信装置そのものが高価なものになるという問題がある。
【０００５】
また、前記問題を解決するためにデータ変換機能を簡易化すると、受信装置で行なうデータ変換結果が、送信側の期待する結果にならないという問題がある。
【０００６】
本発明は、以上のような従来のダウンロードによる受信装置のデータ変換機能の問題点に鑑みてなされたものであり、データ変換機能のソフトウェアを簡便化し、前記簡便化することに伴い発生するデータ変換の変換誤りや誤差を補正する技術を提供するものであり、誤差補正を行なうために必要な誤差補正情報を生成する誤差補正情報生成装置及び誤差補正情報を生成し送信する送信装置並びに誤差補正情報を用いて誤差を補正する受信装置を提供することを目的とする。
【０００９】
【課題を解決するための手段】
本発明は、前記目的を達成するために提供されるものであり、まず、請求項１に記載の誤差補正情報生成装置は、受信装置でのデータ変換時に発生する変換誤差を予測し、前記受信装置で前記変換誤差の補正を行なうために必要な情報を予め生成する誤差補正情報生成装置であって、入力されたデータにデータ変換を行ない、正しい変換結果の基準となる基準データを生成する第一のデータ変換手段と、前記入力されたデータを受信装置と同じデータ変換を行ない、前記受信装置と同じ変換結果となる変換データを生成する第二のデータ変換手段と、前記基準データと、前記変換データとを比較して、前記入力されたデータが前記受信装置でデータ変換されるときに発生する変換誤差を補正するための誤差補正情報を生成するデータ比較手段と、を有する構成とした。
【００１０】
かかる構成によれば、誤差補正情報生成装置は、第一のデータ変換手段により、入力されたデータにデータ変換を行ない、正しい変換結果の基準となる基準データを生成することができ、第二のデータ変換手段により、前記入力されたデータを受信装置と同じデータ変換を行ない、前記受信装置と同じ変換結果となる変換データを生成することができ、データ比較手段により、前記基準データと、前記変換データとを比較して、前記入力されたデータが前記受信装置でデータ変換されるときに発生する変換誤差を補正するための誤差補正情報を生成することができる。これにより、受信装置がデータ変換を行なう際の変換誤差を予め検知することができるので、受信装置が変換誤差を補正するために必要な誤差補正情報を確実に生成することができる。
【００１１】
また、請求項２に記載の送信装置は、受信装置でのデータ変換時に発生する変換誤差を予測し、前記受信装置で前記変換誤差の補正を行なうために必要な情報を予め生成して、データと共に送信する送信装置であって、入力された前記データにデータ変換を行ない、正しい変換結果の基準となる基準データを生成する第一のデータ変換手段と、前記入力されたデータを受信装置と同じデータ変換を行ない、前記受信装置と同じ変換結果となる変換データを生成する第二のデータ変換手段と、前記基準データと、前記変換データとを比較して、前記入力されたデータが前記受信装置でデータ変換されるときに発生する変換誤差を補正するための誤差補正情報を生成するデータ比較手段と、前記入力されたデータと前記誤差補正情報とを送信する送信手段と、を有する構成とした。
【００１２】
かかる構成によれば、送信装置は、第一のデータ変換手段により、入力された前記データにデータ変換を行ない、正しい変換結果の基準となる基準データを生成することができ、第二のデータ変換手段により、前記入力されたデータを受信装置と同じデータ変換を行ない、前記受信装置と同じ変換結果となる変換データを生成することができ、データ比較手段により、前記基準データと、前記変換データとを比較して、前記入力されたデータが前記受信装置でデータ変換されるときに発生する変換誤差を補正するための誤差補正情報を生成することができ、送信手段により、前記入力されたデータと前記誤差補正情報とを送信することができる。これにより、送信装置が、受信装置がデータ変換を行なう際の変換誤差を予測することができるので、前記変換誤差を補正するために必要な誤差補正情報を送信することができる。
【００１３】
また、請求項３に記載の受信装置は、請求項２に記載の送信装置から放送波または通信回線を介して送信される前記データと前記誤差補正情報とを受信する受信装置であって、前記データと前記誤差補正情報とを受信する受信手段と、前記受信手段で受信された前記データと前記誤差補正情報とを分離する分離手段と、前記分離手段で分離された前記データをデータ変換して、変換データを生成するデータ変換手段と、前記変換データと、前記分離手段で分離されたデータ変換時に生じる変換誤差を補正するための前記誤差補正情報とに基づいて、前記変換データの変換誤差を補正する誤差補正手段と、を有する構成とした。
【００１４】
かかる構成によれば、受信装置は、受信手段により請求項２に記載の送信装置から放送波または通信回線を介して送信される前記データと前記誤差補正情報とを受信することができ、分離手段により前記受信手段で受信された前記データと前記誤差補正情報とを分離することができ、データ変換手段により前記分離手段で分離された前記データをデータ変換して、変換データを生成することができ、誤差補正手段により前記変換データと、前記分離手段で分離されたデータ変換時に生じる変換誤差を補正するための誤差補正情報とに基づいて、前記変換データの変換誤差を補正することができる。これにより、受信装置には、高価で高性能なデータ変換装置を組み込む必要がなく、簡易なデータ変換機能であっても、送信側が期待するデータ変換を確実に行なうことができる。
【００１５】
また、請求項４に記載の受信装置は、請求項３に記載の受信装置における誤差補正手段が、前記データ変換手段が生成した変換データに前記誤差補正情報に対応する変換誤差が生じているときは、前記データ変換手段に通知し、再度、前記データ変換手段がデータ変換を行なう構成とした。
【００１６】
かかる構成によれば、受信装置は、誤差補正手段により、前記データ変換手段が生成した変換データに前記誤差補正情報に対応する変換誤差が生じているときは、前記データ変換手段に通知し、再度、前記データ変換手段がデータ変換を行なうことができる。これにより、受信装置が、前記データ変換手段のデータ変換を再実行できるので、送信側が期待するデータ変換を確実に行なうことができる。
【００１７】
また、請求項５に記載の受信装置は、請求項３または請求項４に記載の受信装置における少なくともデータ変換手段と誤差補正手段とは、更新することができる構成とした。
【００１８】
かかる構成によれば、受信装置の少なくともデータ変換手段と誤差補正手段とは、更新することができるので、例えば、データ変換機能が翻訳機能である場合は、指定言語の翻訳機能を有するデータ変換手段あるいは誤差補正手段を放送の電波を使ってダウンロードし、新しいデータ変換手段あるいは誤差補正手段とすることで、所望の言語による翻訳サービスを享受することができる。これによって、該受信装置は多様なサービスに対応することができる。
【００１９】
【発明の実施の形態】
以下、本発明の実施形態を図面に基づいて詳細に説明する。
（誤差補正伝送方法の概念）
【００２０】
まず、本発明における実施形態である誤差補正伝送方法の全体概要について説明する。図１は誤差補正伝送方法の概念図である。
【００２１】
図１において、送信装置１０は、放送波１あるいは通信回線２を用いて変換前データ１０１及び誤差補正情報１０４を受信装置２０に送信する。ここで、変換前データ１０１は、受信装置２０がデータ変換を行なう前の元データであり、誤差補正情報１０４は、受信装置２０が変換前データ１０１をデータ変換する時に予測される変換誤差を補正するための情報である。
【００２２】
ここで、受信装置２０は、変換前データ１０１を翻訳処理や音声認識処理や画像認識処理といったデータ変換を行ない、前記データ変換した結果を誤差補正情報１０４に基づいて補正を行ない、翻訳結果や音声認識結果や画像認識結果といった変換後データ１０５を生成する。このようにして、受信装置２０は、送信装置１０が期待するデータ変換を行なうことができる。
【００２３】
（誤差補正情報生成装置及び送信装置の構成）
次に、図２を参照して誤差補正情報生成装置３０及び送信装置１０の構成について説明する。図２は誤差補正情報生成装置３０及び送信装置１０の機能構成を示すブロック図である。図２において、誤差補正情報生成装置３０は、基準データ変換手段３１と簡易データ変換手段３２及びデータ比較手段３３から構成されている。
【００２４】
基準データ変換手段３１は、変換前データ１０１をデータ変換し、誤差判定の基準となる基準変換データ１０２を生成する。ここで基準データ変換手段３１は、後記する簡易データ変換手段３２よりも高性能なデータ変換手段であり、少なくとも基準データ変換手段３１が生成する基準変換データ１０２が、正しい変換結果の基準となる。
【００２５】
簡易データ変換手段３２は、基準データ変換手段３１と同様に変換前データ１０１をデータ変換し、簡易変換データ１０３を生成する。ここで簡易データ変換手段３２は、基準データ変換手段３１を簡略化した変換手段で、性能的には基準データ変換手段３１より劣っているが、安価に構築できる変換手段とする。
【００２６】
ここで、簡易データ変換手段３２は、受信装置２０のデータ変換手段２３と同じ変換手段、あるいは同じ変換結果を生成する変換手段である。
【００２７】
データ比較手段３３は、基準データ変換手段３１が生成する基準変換データ１０２と、簡易データ変換手段３２が生成する簡易変換データ１０３とを比較して、簡易データ変換手段３２、すなわち受信装置２０のデータ変換手段２３が生成する誤った変換結果を補正する情報を誤差補正情報１０４として生成する。
また、図２において、送信装置１０は、誤差補正情報生成装置３０と送信手段１１から構成されている。
送信手段１１は、変換前データ１０１と誤差補正情報生成装置３０が生成する誤差補正情報１０４とを放送波１または通信回線２を介して送信する手段である。ここで、送信装置１０は、誤差補正情報生成装置３０を持たず、誤差補正情報生成装置３０が生成する誤差補正情報１０４を記憶した蓄積手段（図示せず）と、送信手段１１とを持つ構成とすることもできる。
【００２８】
（受信装置の構成）
次に、図３を参照して受信装置２０の構成について説明する。図３は受信装置２０の機能を説明するブロック図である。図３において、受信装置２０は、受信手段２１と分離手段２２とデータ変換手段２３及び誤差補正手段２４から構成されている。
【００２９】
受信手段２１は、送信装置１０から放送波１または通信回線２を介して送信される変換前データ１０１と誤差補正情報１０４を受信する手段である。受信手段２１は、衛星や地上中継局あるいはＣＡＴＶなどから送信される放送波１からデータを受信する場合と、ＷＡＮやＬＡＮなどの通信回線２からデータを受信する場合とがある。
【００３０】
分離手段２２は、受信手段２１が受信した変換前データ１０１と誤差補正情報１０４とを判断し、受信したデータが変換前データ１０１の場合は、該データをデータ変換手段２３へ、受信したデータが誤差補正情報１０４の場合は、該データを誤差補正手段２４へそれぞれ送出する。
【００３１】
データ変換手段２３は、受信手段２１が受信した変換前データ１０１に対してデータ変換を行なう。ここで、データ変換とは、例えば、日本語データを英語データに変換する翻訳処理や、音声信号データを文字コード情報に変換する音声認識処理や、画像信号データをその中に含まれる画像を音声データに変換する画像認識処理といったデータ変換である。
【００３２】
ここで、データ変換手段２３は、後記する誤差補正情報生成装置３０の簡易データ変換手段３２と同じ変換手段、あるいは同じ変換結果を生成する変換手段である。
【００３３】
また、データ変換手段２３は、固有のデータ変換を行なう場合は、ファームウェア化して受信装置２０内に構成することもできる。また、データ変換手段２３が、任意のデータ変換方法から選択してデータ変換を行なう場合は、データ変換手段２３をソフトウェアモジュール化し、送信装置１０から放送波１または通信回線２を介して該当するソフトウェアモジュールをダウンロードすることによって、データ変換手段２３そのものを更新することもできる。
【００３４】
誤差補正手段２４は、データ変換手段２３がデータ変換を行なった結果を、受信手段２１が受信した誤差補正情報１０４に基づいて、誤差補正を行ない変換後データ１０５を生成する。
【００３５】
ここで、誤差補正手段２４は、データ変換手段２３と同様にファームウェア化して受信装置２０内に構成することもできるし、ソフトウェアモジュール化し、送信装置１０から放送波１または通信回線２を介して該当するソフトウェアモジュールをダウンロードすることによって、誤差補正手段２４そのものを更新することもできる。
【００３６】
（誤差補正情報生成装置及び受信装置の動作）
次に、図４の誤差補正情報生成装置３０内のデータ変換例を参照して、受信装置２０と誤差補正情報生成装置３０の機能について説明する。
【００３７】
（第一の動作例：翻訳処理）
まず、図４（１）は、誤差補正情報生成装置３０内の基準データ変換手段３１と簡易データ変換手段３２が、日本語の文字列を英語に翻訳するデータ変換として機能している場合の例である。
【００３８】
図４（１）では、誤差補正情報生成装置３０において、変換前データ１０１として「このはし渡るべからず」という文字列が与えられたとする。この変換前データ１０１を基準データ変換手段３１がデータ変換すなわち翻訳処理を行なうと、「Do not cross the bridge.」という基準変換データ１０２が得られたとする。本翻訳結果が正しい翻訳結果で、受信装置２０において送信側が期待する出力結果である。
【００３９】
また、受信装置２０が備えているデータ変換手段２３と同様のデータ変換すなわち翻訳処理を行なう簡易データ変換手段３２が、変換前データ１０１を翻訳処理すると、「Do not walk along the edge.」という簡易変換データ１０３が得られたとする。
【００４０】
ここで、データ比較手段３３が、基準変換データ１０２と簡易変換データ１０３とを比較して、基準データ変換手段３１が返す結果と同じ結果を簡易データ変換手段３２が返すために、誤差補正情報１０４として、「はし＝橋：bridge≠edge」という情報を生成する。すなわち、変換前データ１０１に含まれる「はし」は、「橋」であって「端」を意味する「edge」ではないという情報を生成する。
【００４１】
受信装置２０は、受信手段２１が、変換前データ１０１「このはし渡るべからず」という文字列と、前記生成した誤差補正情報１０４「はし＝橋：bridge≠edge」を放送波１または通信回線２から受信すると、分離手段２２が変換前データ１０１をデータ変換手段２３に出力し、誤差補正情報１０４を誤差補正手段２４に出力する。
【００４２】
ここでデータ変換手段２３は、誤差補正情報生成装置３０の簡易データ変換手段３２と同様の翻訳結果すなわち「Do not walk along the edge.」を生成する。誤差補正手段２４は、誤差補正情報１０４からこの翻訳結果が誤っていることを認識できるので、誤差補正手段２４はデータ変換手段２３に対して誤差補正制御信号１０６により再翻訳を指示し、誤差補正手段２４は再翻訳結果が誤差補正情報１０４から誤りがないと判断したときに変換後データ１０５として出力する。
【００４３】
（第二の動作例：音声認識処理）
次に、図４（２）は、誤差補正情報生成装置３０内の基準データ変換手段３１と簡易データ変換手段３２が、音声信号を認識し、文字データとして出力するデータ変換として機能している場合の例である。
【００４４】
図４（２）では、誤差補正情報生成装置３０において、変換前データ１０１として「ほんじつはせいてんなり」という音声信号が与えられたとする。この変換前データ１０１を基準データ変換手段３１がデータ変換すなわち音声認識処理を行なうと、「ほんじつはせいてんなり」という正しい基準変換データ１０２が得られたとする。
【００４５】
また、受信装置２０が備えているデータ変換手段２３と同様のデータ変換すなわち音声認識処理を行なう簡易データ変換手段３２が、変換前データ１０１を音声認識処理すると、「ほ・じつわせいてんなり」という簡易変換データ１０３が得られたとする。すなわち、簡易データ変換手段３２は、「ほんじつ」の「ん」が正しく認識できず、また、助詞の「は」を「わ」として誤認識しているとする。
【００４６】
ここで、データ比較手段３３が、基準変換データ１０２と簡易変換データ１０３とを比較して、基準データ変換手段３１が返す結果と同じ結果を簡易データ変換手段３２が返すために、誤差補正情報１０４として、「ほん：＝ほ・、は：＝わ」という情報を生成する。
【００４７】
受信装置２０は、受信手段２１が、変換前データ１０１「ほんじつはせいてんなり」という音声信号と、前記生成した誤差補正情報１０４「ほん：＝ほ・、は：＝わ」を放送波１または通信回線２から受信すると、分離手段２２が変換前データ１０１をデータ変換手段２３に出力し、誤差補正情報１０４を誤差補正手段２４に出力する。
【００４８】
ここでデータ変換手段２３は、誤差補正情報生成装置３０の簡易データ変換手段３２と同様の音声認識結果すなわち「ほ・じつわせいてんなり」を生成する。誤差補正手段２４は、誤差補正情報１０４からこの音声認識結果が誤っていることを認識できるので、誤差補正手段２４はデータ変換手段２３に対して誤差補正制御信号１０６により、誤差補正情報１０４を予備知識として通知することでデータ変換手段２３が音声認識結果を補正する。この場合、誤差補正制御信号１０６を用いずに、誤差補正手段２４のみで音声認識結果の補正を行なうことも可能である。
【００４９】
（第三の動作例：画像認識処理）
次に、図４（３）は、誤差補正情報生成装置３０内の基準データ変換手段３１と簡易データ変換手段３２が、画像信号を認識し、音声データとして出力するデータ変換として機能している場合の例である。
【００５０】
図４（３）では、誤差補正情報生成装置３０において、変換前データ１０１として丸と三角が描かれた画像信号が与えられたとする。この変換前データ１０１を基準データ変換手段３１がデータ変換すなわち画像認識処理を行なうと、「丸と三角」という正しい基準変換データ１０２が得られたとする。
【００５１】
また、受信装置２０が備えているデータ変換手段２３と同様のデータ変換すなわち画像認識処理を行なう簡易データ変換手段３２が、変換前データ１０１を画像認識処理すると、「丸と四角」という簡易変換データ１０３が得られたとする。すなわち、簡易データ変換手段３２は、「三角」を「四角」に誤認識しているとする。ここで、データ比較手段３３が、基準変換データ１０２と簡易変換データ１０３とを比較して、基準データ変換手段３１が返す結果と同じ結果を簡易データ変換手段３２が返すために、誤差補正情報１０４として、「三角：＝四角」という情報を生成する。
【００５２】
受信装置２０は、受信手段２１が、変換前データ１０１「丸と三角」という画像信号と、前記生成した誤差補正情報１０４「三角：＝四角」を放送波１または通信回線２から受信すると、分離手段２２が変換前データ１０１をデータ変換手段２３に出力し、誤差補正情報１０４を誤差補正手段２４に出力する。
【００５３】
ここでデータ変換手段２３は、誤差補正情報生成装置３０の簡易データ変換手段３２と同様の画像認識結果すなわち「丸と四角」を生成する。誤差補正手段２４は、誤差補正情報１０４からこの画像認識結果が誤っていることを認識できるので、誤差補正手段２４はデータ変換手段２３に対して誤差補正制御信号１０６により、誤差補正情報１０４を予備知識として通知することでデータ変換手段２３が画像認識結果を補正する。この場合、誤差補正制御信号１０６を用いずに、誤差補正手段２４のみで画像認識結果の補正を行なうことも可能である。
【００５４】
（誤差補正情報生成装置の動作フローチャート）
次に、誤差補正情報生成装置３０の動作を図５のフローチャートに基づいて説明する。
【００５５】
まず、基準データ変換手段３１が、入力データである変換前データ１０１をデータ変換し、基準変換データ１０２を生成する（ステップＳ５０１）。
【００５６】
次に、簡易データ変換手段３２が、入力データである変換前データ１０１に対して、受信装置２０が備えているデータ変換手段２３と同様のデータ変換を行ない、簡易変換データ１０３を生成する（ステップＳ５０２）。
【００５７】
次に、データ比較手段３３が、基準データ変換手段３１が生成した基準変換データ１０２と、簡易データ変換手段３２が生成した簡易変換データ１０３とを比較し、簡易変換データ１０３の変換誤差を補正する情報である誤差補正情報１０４を生成する（ステップＳ５０３）。
【００５８】
（誤差補正伝送方法及び受信装置の動作フローチャート）
次に、誤差補正伝送方法及び受信装置２０の動作を図６のフローチャートに基づいて説明する。
【００５９】
送信装置１０が、放送波１あるいは通信回線２を用いて変換前データ１０１及び誤差補正情報１０４を受信装置２０に送信する（ステップＳ６０１）。
【００６０】
次に、受信装置２０が、変換前データ１０１及び誤差補正情報１０４を受信すると、分離手段２２が受信データを変換前データ１０１と誤差補正情報１０４とに分離する（ステップＳ６０２）。
【００６１】
次に、データ変換手段２３が、変換前データ１０１をデータ変換する（ステップＳ６０３）。
【００６２】
次に、誤差補正手段２４が、誤差補正情報１０４を参照して前記変換されたデータに誤りがあるかどうかをチェックする（ステップＳ６０４）。
【００６３】
ここで、前記チェック結果を判断し（ステップＳ６０５）、変換されたデータに誤りがある場合は、誤差補正手段２４が、誤差補正情報１０４に基づいてデータ変換手段２３に対して誤差補正制御信号１０６により再変換指示を通知する（ステップＳ６０６）ことでステップＳ６０３に戻る。
【００６４】
一方、変換されたデータが正しい場合は、該変換データを変換後データ１０５として出力する（ステップＳ６０７）。
【００６５】
なお、前記変換されたデータに誤りがある場合、ステップＳ６０６において、誤差補正手段２４が、データ変換手段２３に対して再変換を指示しているが、この段階で、誤差補正手段２４が直接データの補正を行なってステップＳ６０７へ進むことも可能である。
【００６６】
以上、一実施形態に基づいて本発明を説明したが、本発明はこれに限定されるものではない。
【００６７】
以上説明したとおり、本発明に係る誤差補正情報生成装置及び送信装置並びに受信装置では、以下に示す優れた効果を奏する。
【００６９】
請求項１に記載の発明によれば、誤差補正情報生成装置は、第一のデータ変換手段により、入力されたデータにデータ変換を行ない、基準データを生成することができ、第二のデータ変換手段により、入力されたデータを受信装置と同じデータ変換を行ない、変換データを生成することができ、データ比較手段により、前記基準データと、前記変換データとを比較して、変換誤差を補正するための誤差補正情報を生成することができる。これにより、受信装置がデータ変換を行なう際の変換誤差を予め検知することができるので、受信装置が変換誤差を補正するために必要な誤差補正情報を確実に生成することができる。
【００７０】
請求項２に記載の発明によれば、送信装置は、第一のデータ変換手段により、入力されたデータにデータ変換を行ない、基準データを生成することができ、第二のデータ変換手段により、入力されたデータを受信装置と同じデータ変換を行ない、変換データを生成することができ、データ比較手段により、前記基準データと、前記変換データとを比較して、変換誤差を補正するための誤差補正情報を生成することができ、送信手段により、前記入力されたデータと前記誤差補正情報とを送信することができる。これにより、送信装置が、受信装置がデータ変換を行なう際の変換誤差を予測することができるので、前記変換誤差を補正するために必要な誤差補正情報を送信することができる。
【００７１】
請求項３に記載の発明によれば、受信装置は、データ変換手段により受信データをデータ変換して、変換データを生成することができ、誤差補正手段により変換データと、データ変換時に生じる変換誤差を補正するための誤差補正情報とに基づいて、前記変換データの変換誤差を補正することができる。これにより、受信装置には、高価で高性能なデータ変換装置を組み込む必要がなく、簡易なデータ変換機能であっても、送信側が期待するデータ変換を確実に行なうことができる。
【００７２】
請求項４に記載の発明によれば、受信装置は、誤差補正手段により、前記データ変換手段が生成した変換データに前記誤差補正情報に対応する変換誤差が生じているときは、前記データ変換手段に通知し、再度、前記データ変換手段がデータ変換を行なうことができる。これにより、受信装置が、前記データ変換手段のデータ変換を再実行できるので、送信側が期待するデータ変換を確実に行なうことができる。
【００７３】
請求項５に記載の発明によれば、受信装置の少なくともデータ変換手段と誤差補正手段とは、更新することができるので、例えば、データ変換機能が翻訳機能である場合は、指定言語の翻訳機能を有するデータ変換手段あるいは誤差補正手段を放送の電波を使ってダウンロードし、新しいデータ変換手段あるいは誤差補正手段とすることで、所望の言語による翻訳サービスを享受することができる。これによって、該受信装置は多様なサービスに対応することができる。
【図面の簡単な説明】
【図１】本発明の実施の形態に係る誤差補正伝送方法の概念図である。
【図２】本発明の実施の形態に係る送信装置及び誤差補正情報生成装置の機能構成を示すブロック図である。
【図３】本発明の実施の形態に係る受信装置の機能構成を示すブロック図である。
【図４】誤差補正情報生成装置内で生成されるデータ変換の一例である。
【図５】本発明の実施の形態に係る誤差補正情報生成装置の動作を説明したフローチャートである。
【図６】本発明の実施の形態に係る誤差補正伝送方法及び受信装置の動作を説明したフローチャートである。
【符号の説明】
１……放送波
２……通信回線
１０……送信装置
１１……送信手段
２０……受信装置
２１……受信手段
２２……分離手段
２３……データ変換手段
２４……誤差補正手段
３０……誤差補正情報生成装置
３１……基準データ変換手段
３２……簡易データ変換手段
３３……データ比較手段
１０１……変換前データ
１０２……基準変換データ
１０３……簡易変換データ
１０４……誤差補正情報
１０５……変換後データ
１０６……誤差補正制御信号
【図１】
0004351404.tif 000002
【図２】
0004351404.tif 000003
【図３】
0004351404.tif 000004
【図４】
0004351404.tif 000005
【図５】
0004351404.tif 000006
【図６】
0004351404.tif 000007